(57)【要約】【課題】  ズームイン前後における撮像範囲の相対的な位置関係と、ズームイン後の被写体の状態とを同時に確認する。【解決手段】  撮像装置は、ズームレンズを介して被写体の画像を撮像する撮像部と、ユーザの操作を受け付ける操作部と、ズームレンズをズームさせるズーム操作に応じて、ズームレンズの撮影倍率を調整するズーム制御部と、撮像部の撮像範囲の変化を検出する検出部と、表示装置に表示する画像を出力する表示制御部と、を備える。また、撮像部は、ズームインの開始のときに第１画像を取得するとともに、ズームイン後に第２画像を取得する。また、表示制御部は、第１画像にズームイン後の撮像範囲を示す表示を重畳したガイド画像を生成する。そして、表示制御部は、第２画像の一部領域にガイド画像を重畳した第３画像を表示装置に表示させる。【選択図】  図１
2014003574.tif 000002
【特許請求の範囲】
【請求項１】
ズームレンズを介して被写体の画像を撮像する撮像部と、
ユーザの操作を受け付ける操作部と、
前記ズームレンズをズームさせるズーム操作に応じて、前記ズームレンズの撮影倍率を調整するズーム制御部と、
前記撮像部の撮像範囲の変化を検出する検出部と、
表示装置に表示する画像を出力する表示制御部と、を備え、
前記撮像部は、ズームインの開始のときに第１画像を取得するとともに、ズームイン後に第２画像を取得し、
前記表示制御部は、前記第１画像にズームイン後の前記撮像範囲を示す表示を重畳したガイド画像を生成し、前記第２画像の一部領域に前記ガイド画像を重畳した第３画像を前記表示装置に表示させることを特徴とする撮像装置。
【請求項２】
請求項１に記載の撮像装置において、
前記ガイド画像の表示のオン／オフを切り替えるガイドスイッチをさらに備え、
前記表示制御部は、前記ガイドスイッチのオン操作があったときに、前記第３画像を前記表示装置に表示させることを特徴とする撮像装置。
【請求項３】
請求項２に記載の撮像装置において、
前記表示制御部は、前記ガイドスイッチのオン操作が継続している間、前記第３画像を前記表示装置に表示させることを特徴とする撮像装置。
【請求項４】
請求項１から請求項３に記載の撮像装置において、
前記表示制御部は、ズームインの開始から前記撮影倍率の変化が閾値を超えるときに、前記第３画像の表示を停止することを特徴とする撮像装置。
【請求項５】
請求項１から請求項４のいずれか１項に記載の撮像装置において、
前記検出部は、前記ズームレンズの光軸の動きを検知し、
前記表示制御部は、前記ズームレンズの光軸の動きが閾値を超えるときに、前記第３画像の表示を停止することを特徴とする撮像装置。
【請求項６】
請求項１から請求項５のいずれか１項に記載の撮像装置において、
前記表示制御部は、前記ズーム操作が一定期間停止したときに、前記第３画像の表示を停止することを特徴とする撮像装置。
【請求項７】
請求項１から請求項６のいずれか１項に記載の撮像装置において、
前記第２画像と前記第１画像の対応領域との間で、被写体に変化のある領域を検出する画像解析部をさらに備え、
前記表示制御部は、前記被写体に変化のある領域の割合が閾値を超えるときに、前記第３画像の表示を停止することを特徴とする撮像装置。
【請求項８】
請求項１から請求項７のいずれか１項に記載の撮像装置において、
前記表示制御部は、表示切り替え操作があったときに、前記ガイド画像の一部領域に前記第２画像を重畳した第４画像を前記表示装置に表示させることを特徴とする撮像装置。
【請求項９】
請求項１から請求項８のいずれか１項に記載の撮像装置において、
前記撮像部は、前記ズーム操作が一定期間停止したとき、または前記ガイド画像の更新操作があったときに前記第１画像を更新し、
前記表示制御部は、更新後の前記第１画像を用いて前記ガイド画像を生成することを特徴とする撮像装置。
【請求項１０】
請求項１から請求項９のいずれか１項に記載の撮像装置において、
前記操作部は、各々が前記ズーム操作を受け付ける２種類のズームスイッチを含み、
前記表示制御部は、一方のズームスイッチで前記ズーム操作がされたときには前記表示装置に前記第３画像を表示し、他方のズームスイッチで前記ズーム操作がされたときには前記表示装置に前記第３画像を表示しないことを特徴とする撮像装置。
【請求項１１】
請求項１から請求項１０のいずれか１項に記載の撮像装置において、
ズームイン後に記録用の静止画が撮像されたときに、前記第１画像と、前記記録用の静止画の範囲を示す座標情報とを、前記記録用の静止画に対応付けて記録する記録処理部をさらに備えることを特徴とする撮像装置。
【発明の詳細な説明】
【技術分野】
【０００１】
本発明は、撮像装置に関する。
【背景技術】
【０００２】
従来から、電子カメラなどの撮像装置に関し、１画面に多様な構図を表示する技術が提案されている。
【先行技術文献】
【特許文献】
【０００３】
【特許文献１】特開２００７−１８０６６４号公報
【発明の概要】
【発明が解決しようとする課題】
【０００４】
ところで、撮像装置で被写体をズームインするときには次第に画角が狭くなるので、望遠側では主要被写体をフレームに収めることが比較的困難となる。また、例えばズームアウトとズームインを繰り返して主要被写体の位置を確認しつつ撮影をする場合、シャッタチャンスを逃す可能性も高くなる。
【課題を解決するための手段】
【０００５】
本発明の一例である撮像装置は、ズームレンズを介して被写体の画像を撮像する撮像部と、ユーザの操作を受け付ける操作部と、ズームレンズをズームさせるズーム操作に応じて、ズームレンズの撮影倍率を調整するズーム制御部と、撮像部の撮像範囲の変化を検出する検出部と、表示装置に表示する画像を出力する表示制御部と、を備える。また、撮像部は、ズームインの開始のときに第１画像を取得するとともに、ズームイン後に第２画像を取得する。また、表示制御部は、第１画像にズームイン後の撮像範囲を示す表示を重畳したガイド画像を生成する。そして、表示制御部は、第２画像の一部領域にガイド画像を重畳した第３画像を表示装置に表示させる。
【発明の効果】
【０００６】
本発明によれば、ズームイン前後における撮像範囲の相対的な位置関係と、ズームイン後の被写体の状態とを同時に確認できる。
【図面の簡単な説明】
【０００７】
【図１】一の実施形態における電子カメラの構成例を示す図
【図２】第１ズームスイッチ、第２ズームスイッチ、レリーズスイッチの配置例を示す図
【図３】一の実施形態における電子カメラの動作例を示す流れ図
【図４】（ａ）〜（ｆ）：ズームおよびパンニングによるスルー画像およびガイド画像の変化の例を示す図
【図５】（ａ）：表示切り替え操作前のガイド画像の表示例を示す図、（ｂ）：表示切り替え操作後のガイド画像の表示例を示す図
【発明を実施するための形態】
【０００８】
図１は、撮像装置の一例である一の実施形態における電子カメラの構成例を示す図である。一の実施形態の電子カメラは、ズームインのときに現在の撮像範囲を示すガイド画像を表示するガイド機能を有している。なお、一の実施形態では、高倍率ズームレンズを備えたレンズ一体型電子カメラ（コンパクト型電子カメラ）での構成例を説明する。
【０００９】
電子カメラ１００は、ズームレンズ１０１と、レンズドライバ１０２と、撮像部１０３と、カメラマイコン１０４と、姿勢センサ１０５と、メモリ１０６と、メディアＩ／Ｆ１０７と、モニタ１０８と、操作部１０９とを有している。ここで、レンズドライバ１０２、撮像部１０３、姿勢センサ１０５、メモリ１０６、メディアＩ／Ｆ１０７、モニタ１０８、操作部１０９は、それぞれカメラマイコン１０４と接続されている。
【００１０】
ズームレンズ１０１は、撮影倍率を調整するためのレンズである。ズームレンズ１０１のレンズ位置（ズーム位置）は、レンズドライバ１０２によって光軸方向に調整される。また、レンズドライバ１０２は、検出部の一例としてズーム位置を検出するエンコーダ１０２ａを有している。
【００１１】
撮像部１０３は、ズームレンズ１０１を介して結像された被写体の像を撮像（撮影）するモジュールである。例えば、撮像部１０３は、光電変換を行う撮像素子と、撮像素子の出力にアナログ信号処理やＡ／Ｄ変換処理などを施す信号処理回路とを含んでいる。
【００１２】
また、電子カメラの撮影モードにおいて、撮像部１０３は、後述のレリーズスイッチ（１２３）による撮像指示に応じて、不揮発性の記憶媒体（１１５）への記録を伴う記録用の静止画を撮影する。また、撮像部１０３は、撮影モードにおいて所定の時間間隔ごとに観測用の画像（スルー画像）を連続的に撮影する。時系列に取得されたスルー画像のデータは、モニタ１０８での動画表示（ライブビュー表示）やカメラマイコン１０４による各種の演算処理に使用される。
【００１３】
カメラマイコン１０４は、電子カメラ１００の動作を統括的に制御するプロセッサである。例えば、カメラマイコン１０４は、入力される１フレーム分の画像のデータに対して、色補間、ホワイトバランス補正、階調変換、色空間変換などの画像処理を施す。
【００１４】
また、カメラマイコン１０４は、ズーム制御部１１１と、表示制御部１１２と、画像解析部１１３と、記録処理部１１４とを有する。なお、カメラマイコン１０４に含まれる各部の機能ブロックは、ハードウェア的には任意のプロセッサ、メモリ、その他のＬＳＩで実現でき、ソフトウェア的にはメモリにロードされたプログラムなどによって実現される。
【００１５】
ズーム制御部１１１は、後述のズームスイッチの入力に応じてレンズドライバ１０２を制御し、ズームレンズ１０１の撮影倍率を調整する。
【００１６】
表示制御部１１２は、モニタ１０８への画像表示を制御する。例えば、表示制御部１１２は、撮影モードにおいてスルー画像をモニタ１０８に表示させる。また、表示制御部１１２は、上記のガイド機能がオンのときに、ズームイン後の撮像範囲を示すガイド画像を生成し、ズームインのときにスルー画像とともにガイド画像をモニタ１０８に表示させる。
【００１７】
画像解析部１１３は、それぞれ異なる時間に撮像された２つの画像を比較し、画像のうちで被写体に変化のある領域を検出する。
【００１８】
記録処理部１１４は、記録用の静止画のデータに、撮影条件等の付帯情報を対応付けて画像ファイルを生成する。
【００１９】
姿勢センサ１０５は、検出部の一例であって、ズームレンズ１０１の光軸のピッチング方向（上下方向）またはヨー方向（左右方向）の傾きの変化を検出するセンサである。例えば、姿勢センサ１０５は、重力加速度（静的加速度）の計測に対応した公知の３軸加速度センサである。
【００２０】
メモリ１０６は、画像処理の前工程や後工程で画像のデータを一時的に記憶する。例えば、メモリ１０６は、揮発性の記憶媒体であるＳＤＲＡＭである。
【００２１】
メディアＩ／Ｆ１０７は、不揮発性の記憶媒体１１５を接続するためのコネクタを有している。そして、メディアＩ／Ｆ１０７は、コネクタに接続された記憶媒体１１５に対して上記の画像ファイルのデータの書き込み／読み込みを実行する。上記の記憶媒体１１５は、例えば、ハードディスクや、半導体メモリを内蔵したメモリカードなどである。なお、図１では記憶媒体１１５の一例としてメモリカードを図示する。
【００２２】
モニタ１０８は、スルー画像のライブビュー表示や、静止画の再生表示などを行う表示装置である。
【００２３】
操作部１０９は、ユーザからの各種操作を受け付ける。例えば、操作部１０９は、第１ズームスイッチ（第１ズームＳＷ）１２１、第２ズームスイッチ（第２ズームＳＷ）１２２、レリーズスイッチ（レリーズＳＷ）１２３、ガイドスイッチ（ガイドＳＷ）１２４を含む。
【００２４】
第１ズームスイッチ１２１および第２ズームスイッチ１２２は、ズームレンズ１０１の撮影倍率を広角側に変化する操作（ズームアウト）または望遠側に変化させる操作（ズームイン）を受け付ける操作部材である。なお、ズーム制御部１１１は、第２ズームスイッチ１２２を操作したときには、第１ズームスイッチ１２１を操作したときと比べてズームレンズ１０１が異なる速度で移動するようにしてもよい。
【００２５】
レリーズスイッチ１２３は、記録用の静止画の撮像指示などを受け付ける操作部材である。また、ガイドスイッチ１２４は、上記のガイド機能（ガイド画像の表示）のオン／オフを切り替える操作部材である。
【００２６】
なお、図２は第１ズームスイッチ１２１、第２ズームスイッチ１２２、レリーズスイッチ１２３の配置例を示す図である。第１ズームスイッチ１２１およびレリーズスイッチ１２３は、電子カメラ１００の筐体上面に配置されている。一方、第２ズームスイッチ１２２は、電子カメラ１００の鏡筒部分に配置されている。
【００２７】
以下、一の実施形態の電子カメラでの撮影モードの動作例を説明する。
【００２８】
電子カメラ１００の撮影モードが起動されると、カメラマイコン１０４は撮像部１０３を駆動させてスルー画像の撮像を開始する。その後、スルー画像は所定間隔ごとに逐次生成されることとなる。また、カメラマイコン１０４は、スルー画像を表示部に動画表示させる。したがって、撮影モードの撮影待機時において、表示部のスルー画像を参照することで、ユーザは撮影構図を決定するためのフレーミングを行うことができる。なお、フレーミングを行うときには、ユーザはズームスイッチを操作することで、撮影倍率を自由に変更できる。
【００２９】
そして、ガイド機能がオンのとき（ガイドスイッチ１２４のオン操作があったとき）に、カメラマイコン１０４は図３の流れ図に示すガイド機能の処理を開始する。なお、カメラマイコン１０４は、ガイドスイッチ１２４の押圧（オン操作）が継続している間だけ、ガイド機能がオンであると判定してもよい。
【００３０】
ステップ＃１０１：カメラマイコン１０４は、ズームインの操作を受け付けたか否かを判定する。上記要件を満たす場合（ＹＥＳ側）には＃１０３に処理が移行する。一方、上記要件を満たさない場合（ＮＯ側）には＃１０２に処理が移行する。
【００３１】
ステップ＃１０２：カメラマイコン１０４は、ガイド機能のオフ操作（ガイドスイッチ１２４のオフ操作またはガイドスイッチ１２４の押圧解除）を受け付けたか否かを判定する。上記要件を満たす場合（ＹＥＳ側）にはカメラマイコン１０４は図３の流れ図の処理を終了する。一方、上記要件を満たさない場合（ＮＯ側）には＃１０１に戻って、カメラマイコン１０４は上記の処理を繰り返す。
【００３２】
ステップ＃１０３：カメラマイコン１０４は、ズームインの開始時（ズームインの操作時）に撮像部１０３が撮像したスルー画像を第１画像としてメモリ１０６に保持する。
【００３３】
ステップ＃１０４：カメラマイコン１０４は、第１画像に対応する撮像範囲の情報を取得する。第１画像に対応する撮像範囲の情報は、ズームやパンニング等による撮像範囲の変化を求めるときにカメラマイコン１０４によって使用される。
【００３４】
例えば、＃１０４でのカメラマイコン１０４は、ズームインの開始時におけるズーム位置の情報をレンズドライバ１０２から取得する。また、＃１０４でのカメラマイコン１０４は、ズームインの開始時におけるレンズ光軸の傾きの情報を姿勢センサ１０５から取得する。なお、第１画像に対応する撮像範囲の情報は、メモリ１０６に保持される。
【００３５】
ステップ＃１０５：ズーム制御部１１１は、ズームスイッチの操作量の分だけ、ズームレンズ１０１のレンズ位置を望遠側に移動させて撮影倍率を拡大する。ズームイン後に撮像されるスルー画像は、ズームイン前と比べて撮像範囲が狭くなる。なお、図３の流れ図でループする場合、２回目以降の＃１０５の処理ではズームアウトすることもある。
【００３６】
ステップ＃１０６：表示制御部１１２は、ズーム後に新たに取得されるスルー画像（第２画像）とともに、ガイド画像をモニタ１０８に表示させる。＃１０６での表示制御部１１２は、第２画像よりも小さなサイズのガイド画像を、第２画像の一部に重畳させてモニタ１０８に表示させる。
【００３７】
ここで、ガイド画像は、以下の（１）〜（３）の処理によって生成される。
【００３８】
（１）まず、カメラマイコン１０４は、現在の撮像範囲の情報を取得する。カメラマイコン１０４は、現在のズーム位置の情報をレンズドライバ１０２から取得し、現在のレンズ光軸の傾きの情報を姿勢センサ１０５から取得する。
【００３９】
（２）カメラマイコン１０４は、メモリ１０６に保持された第１画像に対応する撮像範囲の情報と、現在の撮像範囲の情報（上記（１）で求めたもの）とを比較し、第１画像と現在の撮像範囲との相対的な位置関係を求める。例えば、カメラマイコン１０４は、ズーム位置の変化量により、第１画像に対する現在の撮像範囲の縮小率を求めることができる。また、カメラマイコン１０４は、レンズ光軸の傾きの変化量により、第１画像に対する現在の撮像範囲の位置ズレを求めることができる。
【００４０】
（３）表示制御部１１２は、現在の撮像範囲を示す表示（例えば矩形枠）を第１画像に重畳させてガイド画像を生成する。現在の撮像範囲が第１画像の範囲内にない場合、表示制御部１１２は、現在の撮像範囲がどの方向にあるかを示す表示（例えば矢印）を、矩形枠の代わりにガイド画像に表示する。
【００４１】
ここで、図４（ａ）〜（ｆ）は、ズームおよびパンニングによるスルー画像およびガイド画像の変化の例を示す。
【００４２】
図４（ａ）は、ズームイン前のスルー画像（第１画像）を示す。また、図４（ｂ）〜（ｆ）は、ガイド画像が重畳されたスルー画像をそれぞれ示している。図４（ｂ）は、図４（ａ）からズームインした状態に対応し、図４（ｃ）は、図４（ｂ）からズームインした状態に対応する。また、図４（ｄ）〜（ｆ）は、図４（ｃ）からズームせずに順次パンニングした状態に対応する。
【００４３】
表示制御部１１２は、ズームインが開始されると、スルー画像とともにガイド画像をモニタ１０８に表示させる（図４（ｂ）〜（ｆ））。これにより、ユーザは、ズームイン前後における撮像範囲の相対的な位置関係をガイド画像で確認しつつ、ズームイン後の被写体の状態をスルー画像で確認することができる。
【００４４】
また、各ガイド画像では、縮小された第１画像の上に、現在の撮像範囲を示す矩形枠（図中破線で示す）が重畳されている。ズームインが行われると画角が狭くなるため、ガイド画像上で矩形枠のサイズは小さくなる（図４（ｂ），（ｃ））。また、パンニングをすると、ガイド画像上で矩形枠の位置がシフトする（図４（ｄ），（ｅ））。なお、図４（ｅ）の状態からさらに右方向にパンニングがされると、現在の撮像範囲が第１画像から外れるため、ガイド画像上に矢印が表示されることとなる（図４（ｆ））。
【００４５】
ステップ＃１０７：カメラマイコン１０４は、静止画の撮像指示（例えばレリーズスイッチ１２３の全押し操作）を受け付けたか否かを判定する。上記要件を満たす場合（ＹＥＳ側）には＃１０８に処理が移行する。一方、上記要件を満たさない場合（ＮＯ側）には＃１０９に処理が移行する。
【００４６】
ステップ＃１０８：カメラマイコン１０４は、記録用の静止画の撮像処理を実行する。撮像部１０３は、カメラマイコン１０４の指示に応じて、記録用の静止画を撮像する。そして、記録処理部１１４は、記録用の静止画のデータに、撮影条件等の付帯情報を対応付けて画像ファイルを生成し、メディアＩ／Ｆ１０７を介して記憶媒体１１５に画像ファイルを記録する。その後、カメラマイコン１０４は、図３の流れ図の処理を終了する。
【００４７】
ここで、ズームイン後に記録用の静止画が撮像されたときには、記録処理部１１４は、画像ファイルの付帯情報に、ガイド画像に関する情報（ズームイン前のスルー画像（第１画像）と、第１画像における記録用の静止画の範囲を示す座標情報）とを含める。
【００４８】
上記のガイド画像に関する情報の用途としては、以下の事項が考えられる。例えば、第１画像をサムネイルに使用することで、シーン全体の状況を提示して画像の検索性を高めることができる。また、同じ第１画像のそれぞれ異なる箇所をズームして撮像した複数の静止画を関連付けし、第１画像の対応箇所を指定することで各静止画にリンクする検索画面を作成するとき、上記の検索画面の素材として利用できる。
【００４９】
ステップ＃１０９：カメラマイコン１０４は、第１画像を基準として現在の撮像範囲までの変化が閾値を超えるか否かを判定する。上記要件を満たす場合（ＹＥＳ側）には＃１１２に処理が移行する。一方、上記要件を満たさない場合（ＮＯ側）には＃１１０に処理が移行する。
【００５０】
例えば、第１画像の取得時からズーム位置が一定以上望遠側に移動し、ズームインの開始から撮影倍率の変化が閾値を超える場合、＃１０９でのカメラマイコン１０４は上記要件を満たす（ＹＥＳ側）と判定する。この場合は、ガイド画像上で現在の撮像範囲の大きさが著しく小さくなるケースに相当する。
【００５１】
また、例えば、第１画像の取得時からレンズ光軸の傾きが一定以上変化して閾値を超える場合、＃１０９でのカメラマイコン１０４は上記要件を満たす（ＹＥＳ側）と判定する。この場合は、電子カメラ１００の向きの変化で第１画像の範囲と現在の撮像範囲とが全く合致していないケースに相当する。
【００５２】
ステップ＃１１０：カメラマイコン１０４は、ズーム操作が一定期間停止したか否かを判定する。上記要件を満たす場合（ＹＥＳ側）には＃１１２に処理が移行する。なお、＃１１０のＹＥＳ側の場合は、例えば、長時間ズームが行われず、ズーム前の視野をモニタ示す必要性が低いケースに相当する。一方、上記要件を満たさない場合（ＮＯ側）には＃１１１に処理が移行する。
【００５３】
ステップ＃１１１：画像解析部１１３は、現在のスルー画像（第２画像）と、第１画像の対応領域とを比較し、被写体に変化のある領域を検出する。例えば、画像解析部１１３は、上記の２画像の間で輝度および色差が異なる領域を、被写体に変化のある領域として検出する。
【００５４】
そして、画像解析部１１３は、被写体に変化のある領域の割合が閾値を超えるか否かを判定する。上記要件を満たす場合（ＹＥＳ側）には＃１１２に処理が移行する。なお、＃１１１のＹＥＳ側の場合は、例えば、第１画像の撮像時と比べて現在の構図が大きく変化しているケースに相当する。一方、上記要件を満たさない場合（ＮＯ側）には＃１１３に処理が移行する。
【００５５】
ステップ＃１１２：これらの場合、表示制御部１１２は、ガイド画像の重畳表示を停止する。その後、＃１０１に戻って、カメラマイコン１０４は上記の処理を繰り返す。
【００５６】
ステップ＃１１３：カメラマイコン１０４は、ガイド機能のオフ操作（ガイドスイッチ１２４のオフ操作またはガイドスイッチ１２４の押圧解除）を受け付けたか否かを判定する。
【００５７】
上記要件を満たす場合（ＹＥＳ側）、表示制御部１１２がガイド画像の重畳表示を停止させた後、カメラマイコン１０４は図３の流れ図の処理を終了する。一方、上記要件を満たさない場合（ＮＯ側）には＃１１４に処理が移行する。
【００５８】
ステップ＃１１４：カメラマイコン１０４は、スルー画像とガイド画像のサイズを変更する表示切り替え操作を操作部１０９から受け付けたかを判定する。上記要件を満たす場合（ＹＥＳ側）には＃１１５に処理が移行する。一方、上記要件を満たさない場合（ＮＯ側）には＃１１６に処理が移行する。
【００５９】
ステップ＃１１５：表示制御部１１２は、ガイド画像とスルー画像の表示領域を入れ替えてモニタ１０８に表示させる。モニタ１０８には、ガイド画像の一部に小さなスルー画像が重畳されて表示される。これにより、ユーザがガイド画像をより視認し易くなる。なお、図５（ａ）は、表示切り替え操作前のガイド画像の表示例であり、図５（ｂ）は、表示切り替え操作後のガイド画像の表示例である。
【００６０】
その後、＃１０５に戻って、カメラマイコン１０４は上記動作を繰り返す。なお、一の実施形態での表示制御部１１２は、表示切り替え操作から所定時間経過後にガイド画像とスルー画像の表示領域を元に戻してもよく、再び表示切り替え操作があるまで図５（ｂ）の表示状態を維持してもよい。
【００６１】
ステップ＃１１６：カメラマイコン１０４は、ガイド画像の更新操作を受け付けたか否かを判定する。上記要件を満たす場合（ＹＥＳ側）には＃１１７に処理が移行する。一方、上記要件を満たさない場合（ＮＯ側）には、＃１０５に戻って、カメラマイコン１０４は上記動作を繰り返す。
【００６２】
ステップ＃１１７：カメラマイコン１０４は、ガイド画像の更新操作のときに撮像部１０３が撮像したスルー画像を、新たな第１画像としてメモリ１０６に保持する。また、カメラマイコン１０４は、新たな第１画像に対応する撮像範囲の情報を取得する。＃１１７の処理により、ガイド画像の更新操作のときの撮像範囲を基準としてガイド画像が生成されるようになる。
【００６３】
その後、＃１０５に戻って、カメラマイコン１０４は上記動作を繰り返す。以上で、図３の流れ図の説明を終了する。
【００６４】
一の実施形態の電子カメラは、ズームインの開始のときに第１画像を取得し（＃１０３）、ズームイン後の撮像範囲を示す表示を第１画像に重畳したガイド画像を生成する（＃１０６）。そして電子カメラは、ズームイン後に、スルー画像の一部領域にガイド画像を重畳してモニタ１０８に表示させる（＃１０６）。したがって、一の実施形態では、ズームイン前後における撮像範囲の相対的な位置関係をガイド画像で確認しつつ、ズームイン後の被写体の状態をスルー画像で確認することができる。
【００６５】
＜実施形態の補足事項＞
（補足１）：上記実施形態ではレンズ一体型の電子カメラでの構成例を説明した。しかし、本発明の撮像装置は、レンズ交換式の電子カメラであってもよい。また、本発明の撮像装置は、ズームレンズによる光学ズーム制御の機能を有することを前提として、携帯電子機器（例えば、スマートフォン、携帯電話等）に組み込まれるカメラモジュールにも適用できる。
【００６６】
（補足２）：上記実施形態では、ガイドスイッチ１２４の操作に応じてガイド機能がオン／オフされる例を説明した。しかし、本発明の撮像装置では、例えばズームスイッチのズームイン操作に応じてガイド機能がオンされてもよい。
【００６７】
（補足３）：本発明の撮像装置では、一方のズームスイッチ（例えば、第２ズームスイッチ１２２）でズーム操作がされたときにはモニタ１０８にガイド画像を表示し、他方のズームスイッチ（例えば、第１ズームスイッチ１２１）でズーム操作がされたときにはモニタ１０８にガイド画像を表示しないようにしてもよい。
【００６８】
（補足４）：上記実施形態では、ズーム操作が一定期間停止したときには、ガイド画像の表示を停止させる例を説明した（＃１１０、＃１１２）。しかし、本発明の撮像装置は、ズーム操作が一定期間停止したときに、上記実施形態の＃１１７と同様に、第１画像およびその撮像範囲の情報を更新するようにしてもよい。
【００６９】
（補足５）：上記実施形態の＃１０８の処理において、記録処理部１１４はガイド画像自体を画像ファイルの付帯情報として記録してもよい。
【００７０】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図する。また、当該技術分野において通常の知識を有する者であれば、あらゆる改良および変更に容易に想到できるはずであり、発明性を有する実施形態の範囲を前述したものに限定する意図はなく、実施形態に開示された範囲に含まれる適当な改良物および均等物によることも可能である。
【符号の説明】
【００７１】
１００…電子カメラ、１０１…ズームレンズ、１０２…レンズドライバ、１０２ａ…エンコーダ、１０３…撮像部、１０４…カメラマイコン、１０５…姿勢センサ、１０６…メモリ、１０７…メディアＩ／Ｆ、１０８…モニタ、１０９…操作部、１１１…ズーム制御部、１１２…表示制御部、１１３…画像解析部、１１４…記録処理部、１１５…記憶媒体、１２１…第１ズームスイッチ、１２２…第２ズームスイッチ、１２３…レリーズスイッチ、１２４…ガイドスイッチ
【図１】
2014003574.tif 000003
【図２】
2014003574.tif 000004
【図３】
2014003574.tif 000005
【図４】
2014003574.tif 000006
【図５】
2014003574.tif 000007